(57)【要約】  【課題】作業装置に対する材料の供給を自動的に能率良くできるようにした作業機械を提供する。  【解決手段】車両13の後部に、この車両13により牽引する排水暗渠施工装置17を設け、この車両13上に、排水暗渠施工装置17が必要とする浸透材26を収納する浸透材収納タンク45を搭載する。浸透材収納タンク45の後部には、この浸透材収納タンク45から排水暗渠施工装置17に浸透材26を供給する浸透材供給装置65を設ける。浸透材収納タンク45は、タンク本体48の底部に沿ってベルトコンベヤ56を設け、このベルトコンベヤ56の搬出端に浸透材26をベルトコンベヤ56より下側に落し込む浸透材落込凹部66を設け、この浸透材落込凹部66の一部に浸透材供給口を開口するとともに、この浸透材供給口に向って浸透材落込凹部66内の浸透材を幅寄せ移送するスクリュー68を設ける。  【選択図】図１
2007039889.tif 000002
【特許請求の範囲】
【請求項１】
車両と、
この車両により牽引される作業装置と、
この作業装置が必要とする材料を収納する車両上に搭載された材料収納タンクと、
この材料収納タンクから作業装置に材料を供給する材料供給装置と
を具備したことを特徴とする作業機械。
【請求項２】
作業装置は、地面に溝を掘削して排水暗渠を施工する排水暗渠施工装置であり、
材料収納タンクは、排水暗渠施工装置により掘削された溝に埋戻される浸透材を収納する浸透材収納タンクであり、
材料供給装置は、浸透材収納タンクから排水暗渠施工装置に浸透材を供給する浸透材供給装置である
ことを特徴とする請求項１記載の作業機械。
【請求項３】
材料収納タンクは、
タンク本体と、
このタンク本体の底部に沿って作業装置とは反対側の端部から作業装置側の端部にわたって設けられた材料搬出用のベルトコンベヤとを備え、
材料供給装置は、
ベルトコンベヤにてタンク本体の一端部に搬出された材料をベルトコンベヤの材料搬出端より下側に落し込む材料落込凹部と、
この材料落込凹部の一部に開口された材料供給口と、
この材料供給口に向って材料落込凹部内の材料を幅寄せ移送するスクリューと
を具備したことを特徴とする請求項１または２記載の作業機械。
【請求項４】
材料収納タンクは、
タンク本体の上面に開口された開口部と、
この開口部に開閉可能に設けられた複数の開閉板と
を具備したことを特徴とする請求項１乃至３のいずれか記載の作業機械。
【発明の詳細な説明】
【技術分野】
【０００１】
本発明は、材料収納タンクを搭載した作業機械に関するものである。
【背景技術】
【０００２】
ブルドーザにより牽引されながら、湿田の表面下に排水溝を掘削しつつ、この排水溝内に穴明きビニールチューブを施工して排水暗渠を形成するとともに、このビニールチューブ上の溝跡に土を埋戻してしまうと水はけを改善できないので、籾殻などの浸透材を埋戻すことで湿田の排水性を改良する排水暗渠施工装置（モールドレイヤーと呼ばれている）がある（例えば、特許文献１参照）。
【特許文献１】特公昭６０−１７８９４号公報（第１−２頁、第１図）
【発明の開示】
【発明が解決しようとする課題】
【０００３】
この排水暗渠施工装置は、籾殻などの浸透材を入れるホッパを備えているが、このホッパが空になったときは、他の運搬車両などから浸透材をホッパに供給するようにしているので、その供給作業が容易でないとともに、一時的に作業を中断せざるを得ず、作業能率も低下する問題がある。
【０００４】
本発明は、このような点に鑑みなされたもので、作業装置に対する材料の供給を自動的に能率良くできるようにした作業機械を提供することを目的とするものである。
【課題を解決するための手段】
【０００５】
請求項１記載の発明は、車両と、この車両により牽引される作業装置と、この作業装置が必要とする材料を収納する車両上に搭載された材料収納タンクと、この材料収納タンクから作業装置に材料を供給する材料供給装置とを具備した作業機械であり、そして、車両により牽引される作業装置に対して、車両上に搭載された材料収納タンクから、材料供給装置により、籾殻、肥料などの材料を供給することで、この材料を運搬するための他の車両などを必要とすることなく、作業装置に対する材料の供給を自動的に能率良くできるようにする。
【０００６】
請求項２記載の発明は、請求項１記載の作業機械における作業装置を、地面に溝を掘削して排水暗渠を施工する排水暗渠施工装置とし、材料収納タンクを、排水暗渠施工装置により掘削された溝に埋戻される浸透材を収納する浸透材収納タンクとし、材料供給装置を、浸透材収納タンクから排水暗渠施工装置に浸透材を供給する浸透材供給装置としたものであり、そして、車両により牽引される排水暗渠施工装置に対して、車両上に搭載された浸透材収納タンクから、浸透材供給装置により、籾殻などの浸透材を供給することで、この浸透材を運搬するための他の車両などを必要とすることなく、排水暗渠施工装置に対する浸透材の供給を自動的に能率良くできるようにする。
【０００７】
請求項３記載の発明は、請求項１または２記載の作業機械における材料収納タンクが、タンク本体と、このタンク本体の底部に沿って作業装置とは反対側の端部から作業装置側の端部にわたって設けられた材料搬出用のベルトコンベヤとを備え、材料供給装置は、ベルトコンベヤにてタンク本体の一端部に搬出された材料をベルトコンベヤの材料搬出端より下側に落し込む材料落込凹部と、この材料落込凹部の一部に開口された材料供給口と、この材料供給口に向って材料落込凹部内の材料を幅寄せ移送するスクリューとを具備したものであり、そして、ベルトコンベヤによりタンク本体の底部から材料落込凹部に材料を均等に搬出するとともに、この材料落込凹部内の材料をスクリューにより材料供給口に幅寄せ移送することで、広がりを有するタンク本体内から局所の材料供給口に材料を均等に集めて、作業装置へ無駄なく供給することが可能となる。
【０００８】
請求項４記載の発明は、請求項１乃至３のいずれか記載の作業機械における材料収納タンクが、タンク本体の上面に開口された開口部と、この開口部に開閉可能に設けられた複数の開閉板とを具備したものであり、そして、タンク本体内に材料を補充する際は、複数の開閉板を開いて、各開閉板間の隙間よりタンク本体内に材料を収納し、また、作業中は、各開閉板を閉じてタンク本体の上面の開口部に蓋をすることで、タンク本体内の籾殻、肥料などの材料が風によって吹飛ばされることを防止する。
【発明の効果】
【０００９】
請求項１記載の発明によれば、車両により牽引される作業装置に対して、車両上に搭載された材料収納タンクから、材料供給装置により、籾殻、肥料などの材料を供給することで、これらの材料を運搬するための他の車両などを必要とすることなく、作業装置に対する材料の供給を自動的に能率良くできる。
【００１０】
請求項２記載の発明によれば、車両により牽引される排水暗渠施工装置に対して、車両上に搭載された浸透材収納タンクから、浸透材供給装置により、籾殻などの浸透材を供給することで、この浸透材を運搬するための他の車両などを必要とすることなく、排水暗渠施工装置に対する浸透材の供給を自動的に能率良くできる。
【００１１】
請求項３記載の発明によれば、ベルトコンベヤによりタンク本体の底部から材料落込凹部に材料を均等に搬出できるとともに、この材料落込凹部内の材料をスクリューにより材料供給口に幅寄せ移送することで、広がりを有するタンク本体内から局所の材料供給口に材料を均等に集めて、作業装置へ無駄なく供給できる。
【００１２】
請求項４記載の発明によれば、タンク本体内に材料を補充する際は、複数の開閉板を開いて、各開閉板間の隙間よりタンク本体内に材料を収納でき、また、作業中は、各開閉板を閉じてタンク本体の上面の開口部に蓋をすることで、タンク本体内の籾殻、肥料などの材料が風によって吹飛ばされることを防止できる。
【発明を実施するための最良の形態】
【００１３】
以下、本発明を、図１乃至図３に示された一実施の形態を参照して詳細に説明する。
【００１４】
図１は、ブルドーザ11をベースマシンとする排水暗渠施工用の作業機械を示し、履帯12を装着したトラクタ形の車両13の前部に、昇降可能なプッシュアーム14を介して排土板15が装着されている。
【００１５】
この車両13の後部には、３点支持機構16を介して、この車両13により牽引される作業装置としての排水暗渠施工装置（モールドレイヤー）17が設けられている。この排水暗渠施工装置17の駆動軸18は、車両13の後端より突出された動力取出軸（以下、ＰＴＯ軸という）に自在継手19を介して接続されている。
【００１６】
排水暗渠施工装置17は、地面に溝を掘削して排水暗渠を施工するものであり、３点支持機構16により本体フレーム21が支持され、この本体フレーム21から下側に掘削刃体22が突設され、この掘削刃体22の下端に弾丸状体23が一体に設けられ、一方、本体フレーム21の上側に穴明きビニールチューブ24を巻取るリール25が回転自在に軸支され、また、材料としての籾殻、木材チップなどの浸透材26を収納するホッパ27が設けられ、このホッパ27の下部に浸透材掻出し機構28が設けられ、さらに、後部に接地板31が勾配設定機構32により上下動可能に設けられている。掘削刃体22の後背部には、穴明きビニールチューブ24を下方へ案内する案内溝22aが設けられている。
【００１７】
本体フレーム21上にはギヤボックス33が設置され、このギヤボックス33の駆動軸18には、トラクタのＰＴＯ軸が自在継手19を介して接続され、ギヤボックス33の出力軸には、回転伝達機構34を介して浸透材掻出し機構28が接続され、さらに回転伝達機構35を介して勾配設定機構32が接続されている。
【００１８】
浸透材掻出し機構28は、ホッパ27内の出口部に設けられた掻出し羽根36を回転させてホッパ27内の浸透材をノズル37より掻落すようにしたものであり、また、勾配設定機構32は、車両13の前進に応じて接地板31を下降させることで、相対的にこの排水暗渠施工装置17を上昇させ、排水暗渠に勾配を付けるものである。
【００１９】
車両13は、車両本体41のキャブ取付台座42にキャブ43が装着されている。このキャブ43の上部フレーム44上に、材料収納タンクとしての浸透材収納タンク45が搭載され、車両本体41との間に設けられたステー46によっても浸透材収納タンク45の後部が支持されている。
【００２０】
この浸透材収納タンク45は、タンクフレーム47により補強された箱形のタンク本体48内に、排水暗渠施工装置17が必要とする浸透材26、すなわち排水暗渠施工装置17により掘削された溝に埋戻される籾殻、木材チップなどの浸透材26を収納している。この浸透材収納タンク45の底部には、キャブ43およびステー46と接続されるフランジ部49が設けられている。
【００２１】
また、タンク本体48の上面に開口部51が設けられ、この開口部51内に複数の開閉板52が、ブラインドのように開閉可能に設けられている。これらの開閉板52は、タンク本体48の開口部51内に所定ピッチで平行に配置され回動自在に軸支されている。
【００２２】
これらの開閉板52を回動する軸53は、タンク本体48の上部一側面に取付けられたシリンダ装置54により、チェン・スプロケット、ラック・ピニオンまたはリンクなどの連動機構55を介して回動される。すなわち、各開閉板52は、ブラインドのように相互に平行を維持したまま回動され、水平姿勢まで回動されると開口部51を閉じ、垂直姿勢まで回動されると全開状態となる。
【００２３】
図２に示されるように、浸透材収納タンク45のタンク本体48は、底部がＶ形に絞り傾斜され、このタンク本体48の底部に沿って浸透材搬出用のベルトコンベヤ56が設けられている。
【００２４】
このベルトコンベヤ56は、図１に示されるように浸透材収納タンク45の下部にて排水暗渠施工装置17とは反対側の端部から、排水暗渠施工装置17側の端部にわたって設けられている。
【００２５】
すなわち、図２に示されるようにタンクフレーム47の前端に２組の軸支板57が突設され、これらの軸支板57により２本の従動ローラ58が回動自在に保持され、一方、図３に示されるようにタンクフレーム47の後端には、１本の駆動ローラ61が回動自在に保持され、これらの従動ローラ58から駆動ローラ61にわたって２組の無端ベルト62が巻掛けられている。駆動ローラ61は、一側のタンクフレーム47に取付けられたモータ63によりチェン伝動機構64を介して回動され、無端ベルト62を、その上面部が図１左方へ向かって移動するように駆動する。
【００２６】
浸透材収納タンク45の後部には、この浸透材収納タンク45から排水暗渠施工装置17に浸透材26を供給する材料供給装置としての浸透材供給装置65が設けられている。
【００２７】
図３に示されるように、この浸透材供給装置65は、ベルトコンベヤ56にてタンク本体48の一端部に搬出された浸透材26をベルトコンベヤ56の材料搬出端としての浸透材搬出端より下側に落し込む材料落込凹部としてのＵ形断面の浸透材落込凹部66を備え、この浸透材落込凹部66の中央部に材料供給口としての浸透材供給口67が下方に向けて開口され、この浸透材供給口67を介して左右部が逆ねじに形成されたスクリュー68が浸透材落込凹部66内に回動自在に軸支されたスクリューコンベヤである。
【００２８】
このスクリュー68は、一側のタンクフレーム47に取付板を介して取付けられたモータ69によりチェン伝動機構70を介して一方向に回転されるが、左右部が逆ねじに形成されているので、浸透材落込凹部66内の浸透材26を中央の浸透材供給口67に向って幅寄せ移送することができる。この浸透材供給口67は、ダクト71などにより排水暗渠施工装置17のホッパ27内に導かれている。
【００２９】
次に、この実施の形態の作用効果を説明する。
【００３０】
浸透材収納タンク45の上面開口に設けられた各開閉板52を、シリンダ装置54により連動機構55を介して開き、この開口より浸透材収納タンク45内に籾殻、木材チップなどの浸透材26を投入し、浸透材収納タンク45内が浸透材26で満たされたら、シリンダ装置54により各開閉板52を閉じて、内部の浸透材26が風などにより煽られて飛散することを防止する。
【００３１】
このようにして多量の浸透材26を自装した車両13を前進させながら、ベルトコンベヤ56および浸透材供給装置65のスクリュー68を駆動し、ベルトコンベヤ56によりタンク本体48の底部から浸透材落込凹部66に浸透材26を均等に搬出するとともに、この浸透材落込凹部66内の浸透材26をスクリュー68により中央の浸透材供給口67に幅寄せ移送し、この浸透材供給口67からダクト71により排水暗渠施工装置17のホッパ27へ浸透材26を供給しながら、排水暗渠施工装置17によって湿田などに排水暗渠を施工する。
【００３２】
この排水暗渠施工装置17では、掘削刃体22により溝を掘削するとともに、この溝の下部に弾丸状体23によりチューブ施工穴を形成し、このチューブ施工穴内に、リール25から引出され掘削刃体22の案内溝22aに沿って下降された穴明きビニールチューブ24を敷設する。同時に、ホッパ27から浸透材掻出し機構28により掻出された浸透材26を掘削溝内に埋戻すように充填する。
【００３３】
このホッパ27から掘削溝に供給される浸透材26の消費量と、浸透材収納タンク45からベルトコンベヤ56およびスクリュー68によってホッパ27に供給される浸透材26の供給量とが一致するように、コンベヤ速度などを調整する。
【００３４】
このように、車両13により牽引される排水暗渠施工装置17のホッパ27に対して、車両13上に搭載された浸透材収納タンク45内から、浸透材供給装置65により、籾殻、木材チップなどの浸透材26を供給することで、これらの浸透材26を運搬するための他の車両などを必要とすることなく、排水暗渠施工装置17のホッパ27に対する浸透材26の供給を自動的に能率良くできる。
【００３５】
ベルトコンベヤ56によりタンク本体48の底部から浸透材落込凹部66に浸透材26を均等に搬出できるとともに、この浸透材落込凹部66内の浸透材26をスクリュー68により浸透材供給口67に幅寄せ移送することで、広がりを有するタンク本体48内から局所の浸透材供給口67に浸透材26を均等に集めて、排水暗渠施工装置17へ無駄なく供給できる。
【００３６】
タンク本体48内に浸透材26を補充する際は、複数の開閉板52を開いて、各開閉板52間の隙間よりタンク本体48内に浸透材26を収納でき、また、作業中は、各開閉板52を閉じてタンク本体48の上面の開口部51に蓋をすることで、タンク本体48内の籾殻、木材チップなどの浸透材26が風によって吹飛ばされることを防止できる。
【００３７】
上記のように車両13がキャブ43を備えている場合は、このキャブ43上に浸透材収納タンク45を設置するが、車両本体41のキャブ取付台座42にキャブ43が搭載されていない車両の場合は、車両本体41のキャブ取付台座42から支柱（図示せず）を立てて、浸透材収納タンク45を設置すると良い。
【００３８】
なお、本発明は、排水暗渠施工用の作業機械に限定されるものではなく、材料としての肥料を散布する作業機械にも適用でき、その場合、作業装置は肥料散布用スプレッダなどの肥料散布装置となり、材料収納タンクは肥料収納タンクとなり、材料供給装置は肥料供給装置となる。
【図面の簡単な説明】
【００３９】
【図１】本発明に係る作業機械の一実施の形態を示す側面図である。
【図２】同上作業機械の正面図である。
【図３】同上作業機械における材料供給装置の断面図である。
【符号の説明】
【００４０】
13    車両
17    作業装置としての排水暗渠施工装置
26    材料としての浸透材
45    材料収納タンクとしての浸透材収納タンク
48    タンク本体
51    開口部
52    開閉板
56    ベルトコンベヤ
65    材料供給装置としての浸透材供給装置
66    材料落込凹部としての浸透材落込凹部
67    材料供給口としての浸透材供給口
68    スクリュー
【図１】
2007039889.tif 000003
【図２】
2007039889.tif 000004
【図３】
2007039889.tif 000005